【手続補正書】
【提出日】平成17年9月1日(2005.9.1)
【手続補正１】
【補正対象書類名】明細書
【補正対象項目名】特許請求の範囲
【補正方法】変更
【補正の内容】
【特許請求の範囲】
【請求項１】
ヒンジ（１２）が装具の第１バーと第２バーとを結合するような構造になっている身体関節装具（１０）のヒンジ（１２）であって、
ａ．前記第１バーおよび前記第２バーの一方に接続され、少なくとも１つのカム状表面を含む第１部材と、
ｂ．前記第１バーおよび前記第２バーの他方に接続された第２部材とを備え、該第２部材は摺動できる状態でスイッチに接続され、該スイッチは止め部を備え、前記第２部材に対して摺動し、位置変更するような構成になっており、したがって前記止め部は前記第１バーおよび前記第２バーの互いに対する回転を制限し、したがって身体関節の動作を制限するため、前記第１部材のカム状表面の少なくとも１つの部分に圧接するヒンジ（１２）。
【請求項２】
前記第１部材が前記第１バーに接続され、前記第２部材が前記第２バーに接続される、請求項１に記載のヒンジ（１２）。
【請求項３】
前記第１部材が前記第２バーに接続され、前記第２部材が前記第１バーに接続される、請求項１に記載のヒンジ（１２）。
【請求項４】
前記第１部材が前記第１バーの部分として形成され、前記第２部材が、前記第２バーに取り付けられる１対の第１バー板を備える、請求項１に記載のヒンジ（１２）。
【請求項５】
前記第１部材のカム状表面が複数の屈曲制限ランドを含み、前記第２部材は、調節可能な状態で装具の屈曲を制限するため、止め部が選択された屈曲制限ランドに圧接するような構成になっている屈曲スイッチを含む、請求項１〜４のいずれかに記載のヒンジ（１２）。
【請求項６】
前記カム状表面がさらに複数の伸展制限ランドを含み、前記第２部材がさらに、調節可能な状態で装具の伸展を制限するため、止め部が選択された伸展制限ランドに圧接するような構成になっている伸展スイッチを含む、請求項１〜５のいずれかに記載のヒンジ（１２）。
【請求項７】
前記スイッチが、前記第２部材に対して所定の位置でスイッチと嵌合するため、前記第２部材と前記スイッチとの間に力を作用させるような構成になっている構造を含む、請求項１〜６のいずれかに記載のヒンジ（１２）。
【請求項８】
前記スイッチが、複数の予め選択した位置において、解除可能な都合の良い方法で前記第２部材に対する所定の位置にスイッチを保持するような構成になっている構造を含み、それによって前記第２部材に対して前記スイッチを割り出す、請求項１〜７のいずれかに記載のヒンジ（１２）。
【請求項９】
前記スイッチが、前記第２部材に対して所定の位置で前記スイッチと嵌合するため、前記第２部材と前記スイッチとの間に力を挿入するような構成になっている構造、および複数の予め選択した位置において、都合良く解除可能な方法で前記第２部材に対する所定の位置にスイッチを保持するような構成になっている構造を含み、それによって前記第２部材に対して前記スイッチを割り出す、請求項１〜８のいずれかに記載のヒンジ（１２）。
【請求項１０】
前記第２部材に対する所定の位置で前記スイッチと嵌合する構造が、前記第２部材の複数の窪みと、該窪みのうち選択されたものと嵌合するような構成になっているスイッチに接続されるキーとを備える、請求項９に記載のヒンジ（１２）。
【請求項１１】
前記第２部材に対して所定の位置でスイッチを保持するような構成になっている構造が、前記第２部材の複数の窪みおよび前記スイッチに接続された戻り止めを備え、該戻り止めの一部が、前記第２部材上で前記スイッチを割り出すため、前記窪みのうち選択されたものと協働するような構成になっている、請求項９に記載のヒンジ（１２）。
【請求項１２】
前記第２部材に対する所定の位置で前記スイッチと嵌合する構造、および前記第２部材に対して所定の位置に前記スイッチを保持するような構成になっている構造が、同じ構成要素の少なくとも幾つかを備える、請求項９に記載のヒンジ（１２）。
【請求項１３】
前記スイッチが、意図的な力でのみ前記第２部材に対して位置変更するような構成になっている、請求項１〜１２のいずれかに記載のヒンジ（１２）。
【請求項１４】
前記スイッチが、同時に２つの異なる方向でスイッチに加えられた力でのみ、前記第２部材に対して位置変更するような構成になっている、請求項１〜１３のいずれかに記載のヒンジ（１２）。
【請求項１５】
前記スイッチが、前記第２部材に対して前記スイッチを摺動させるよう力を加え、それと同時に前記第２部材に対して前記スイッチのロックを解除するため、該スイッチに別の力を加えた場合のみ、前記第２部材に対して位置変更するような構成になっている、請求項１４に記載のヒンジ（１２）。
【請求項１６】
前記スイッチが、前記第１部材のカム状表面に圧接するカム状表面を含む、請求項１〜１５のいずれかに記載のヒンジ（１２）。
【請求項１７】
前記ランドのうち少なくとも幾つかが、該ランドを前記止め部に当てて配置した場合に、形状的に保持構造に横方向の力を加えないような構成になっている、請求項５または６に記載のヒンジ（１２）。
【請求項１８】
前記装具が膝装具である、請求項１〜１７のいずれかに記載の身体関節装具のヒンジ。
【請求項１９】
ヒンジが装具の第１バーと第２バーとを結合するような構造になっている身体関節装具のヒンジであって、
ａ．前記第１バーおよび前記第２バーの一方に接続されるような構成になっており、複数のランドを有する第１部材と、
ｂ．前記第１バーおよび前記第２バーの他方に接続されるような構成になっており、前記第１部材に対して回転可能である第２部材と、
ｃ．前記第２部材と共に移動可能であり、前記第２部材に対する複数の位置のいずれか１つに選択的に配置された止め部を含むスイッチであって、前記複数の位置のそれぞれが前記第１部材上の対応するランドに関連しているスイッチとを備え、
前記止め部は、前記第２部材に対する前記第１部材の回転を制限するため、前記第１部材上の複数のランドの１つに圧接し、前記ランドがそれぞれ間隔があいているので前記止め部は、前記第２部材に対する前記第１部材の回転と異なる角度で前記ランドに接触するヒンジ。
【請求項２０】
前記第１部材が前記第１バーに接続され、前記第２部材が前記第２バーに接続される、請求項１９に記載のヒンジ。
【請求項２１】
前記第１部材が前記第２バーに接続され、前記第２部材が前記第１バーに接続される、請求項１９に記載のヒンジ。
【請求項２２】
前記第１部材が前記第１バーの部分として形成され、前記第２部材が、前記第２バーに取り付けられる１対の第１バー板を備える、請求項１９に記載のヒンジ。
【請求項２３】
前記ランドは屈曲制限ランドであり、前記スイッチは屈曲スイッチであり、前記止め部は、調節可能な状態で装具の屈曲を制限するため、選択された屈曲制限ランドを圧接するような構成になっている、請求項１９に記載のヒンジ。
【請求項２４】
前記第１部材は複数の伸展制限ランドをさらに含み、前記第２部材は、調節可能な状態で装具の伸展を制限するため、選択された伸展制限ランドに圧接するような構成になった止め部を備える伸展スイッチをさらに含む、請求項２３に記載のヒンジ。
【請求項２５】
前記スイッチが、前記第２部材に対して所定の位置でスイッチと嵌合するため、前記第２部材と前記スイッチとの間に力を作用させるような構成になっている構造を含む、請求項１９に記載のヒンジ。
【請求項２６】
前記スイッチが、複数の位置の１つにおいて、解除可能な都合の良い方法で前記第２部材に対する所定の位置にスイッチを保持するような構成になっている構造を含み、それによって前記第２部材に対して前記スイッチを割り出す、請求項１９に記載のヒンジ。
【請求項２７】
前記スイッチが、前記第２部材に対して所定の位置で前記スイッチと嵌合するため、前記第２部材と前記スイッチとの間に力を挿入するような構成になっている構造、および複数の位置の１つにおいて、都合良く解除可能な方法で前記第２部材に対する所定の位置にスイッチを保持するような構成になっている構造を含み、それによって前記第２部材に対して前記スイッチを割り出す、請求項１９に記載のヒンジ。
【請求項２８】
前記第２部材に対する所定の位置で前記スイッチと嵌合する構造、および前記第２部材に対して所定の位置に前記スイッチを保持するような構成になっている構造が、同じ構成要素の少なくとも幾つかを備える、請求項２７に記載のヒンジ。
【請求項２９】
前記スイッチが、意図的な力でのみ前記第２部材に対して位置変更するような構成になっている、請求項１９に記載のヒンジ。
【請求項３０】
ヒンジが装具の第１バーと第２バーとを結合するような構造になっている身体関節装具のヒンジであって、
ａ．前記第１バーおよび前記第２バーの一方に接続されるような構成になっており、少なくとも１つの止め表面を含む第１部材と、
ｂ．前記第１バーおよび前記第２バーの他方に接続されるような構成になっている第２部材と、
ｃ．前記第２部材に対する複数の位置のいずれか一つに選択的に固定された止め部であって、前記第２部材に対する前記第１部材の回転を制限するために、前記第１部材の前記止め表面の少なくとも一部に圧接する止め部と、
ｄ．前記止め部を前記第２部材から選択的に解放するため、また、前記止め部に複数の位置の望ましい１つに配置されることを可能にするため、前記止め部に接続されたインタフェースであって、前記複数の位置が、異なる回転角で前記第２部材に対する前記第１部材の回転を制限するインタフェースとを備えるヒンジ。
【請求項３１】
複数の位置を定めるため、複数の切欠きを有する面板をさらに含んでいる、請求項３０に記載のヒンジ。
【請求項３２】
前記切欠きの１つに嵌合されるために前記止め部に接続されたキーをさらに含んでいる、請求項３１に記載のヒンジ。
【請求項３３】
前記第２部材が、異なる回転角を定めるため、複数のランドを含んでいる、請求項３０に記載のヒンジ。
【請求項３４】
前記インタフェースが、前記止め部に接続され、また、前記止め部を複数の位置の望ましい１つに配置するためにユーザーによって操作される板を含んでいる、請求項３０に記載のヒンジ。
【請求項３５】
前記インタフェースが、複数の位置の望ましい１つにおいて前記止め部に選択的に嵌合するため、安全ロックを含んでいる、請求項３０に記載のヒンジ。
【請求項３６】
前記第２部材に対して前記第１部材をロックするため、ロック用スイッチをさらに含んでいる、請求項３０に記載のヒンジ。
【請求項３７】
前記止め部が関節の伸展を制限するための伸展止め部であり、前記第１部材が第２止め表面含み、ヒンジが、関節の屈曲を制限するため、前記第２止め表面に接触するための屈曲止め部をさらに含んでいる、請求項３０に記載のヒンジ。